(57)【要約】【課題】災害発生時に回線占有を必要最小限に留めた上で、網側に負荷を掛けることなく被災地と通信を行うことが可能な電話装置を提供する。【解決手段】拠点間接続制御部１０６は、予め定めたルールに従って複数の拠点へ発信し、前記複数拠点のいずれかが応答したならば、拠点間ネットワークの形成を要求する信号または制御情報を送信する。さらに、拠点間接続制御部１０６は、前記発信した外線または、他電話装置からの着信に応答した外線の切断と保持を制御する。【選択図】図１
2015136070.tif 000002
【特許請求の範囲】
【請求項１】
１以上の外線および複数内線を収容する電話装置であって、
災害発生の予測情報を受信するまたは災害発生を検知する災害発生予測検知手段と、前記災害発生予測検知手段が災害発生の予測情報を受信または災害発生を検知すると１以上の外線を捕捉し１以上の拠点に設置されている他電話装置へ発信する災害発生時発信手段と、前記発信に応答した他電話装置へ災害時における拠点間ネットワークの形成を要求する信号を送信する災害時ネットワーク形成要求手段と、前記捕捉した外線を保持する外線保持手段と、を有し、
前記災害発生予測検知手段が災害発生の予測情報を受信または災害発生を検知した場合に、前記災害発生時発信手段は１以上の外線を捕捉し複数の拠点へ発信し、前記複数拠点のいずれかに設置されている他電話装置が応答したならば、前記災害時ネットワーク形成要求手段は前記応答した他電話装置へ、予め定めたルールに従って拠点間ネットワークの形成を要求する信号を送信し、前記回線保持手段は前記発信した外線を保持することを特徴とする災害発生時に自動回線接続機能を有する電話装置。
【請求項２】
１以上の外線および複数内線を収容する電話装置であって、
他電話装置から災害時における拠点間ネットワークの形成を要求する信号または拠点間ネットワークを形成するための制御情報を受信する拠点間ネットワーク形成要求受信手段と、前記信号または前記制御情報を受信した外線を保持する外線保持手段と、１以上の他電話装置との間で予め定められたルールに従って拠点間ネットワークを形成するための制御情報を他電話装置へ送信する制御情報送信手段と、前記災害が発生した拠点と自拠点が接続されていた場合に前記接続の外線を保持または切断する拠点間接続制御手段と、を有し、
前記拠点間ネットワーク形成要求受信手段が、災害が発生した拠点に設置されている他電話装置から拠点間ネットワークの形成を要求する信号、または前記災害が発生した拠点以外の複数の拠点に設置されている他電話装置から拠点間ネットワークを形成するための制御情報を受信した場合に、前記制御情報送信手段は、１以上の外線を捕捉し、前記災害が発生した拠点以外の複数の拠点に設置されている他電話装置へ発信し、予め定めたルールに従って拠点間ネットワークを形成するための制御情報を送信することを特徴とする災害発生時に自動回線接続機能を有する電話装置。
【発明の詳細な説明】
【技術分野】
【０００１】
本発明は、災害発生時に自動回線接続機能を有する電話装置に関する。
【背景技術】
【０００２】
災害発生時に、通信規制等が行われる前に被災地との緊急用の電話回線をあらかじめ確保し、前記確保した回線により被災地に設置された機器と通信を行う技術がある（例えば特許文献１）。
【０００３】
この特許文献１に記載された技術によれば、被災地の監視対象端末側に子局携帯電話と、被災地以外に親局携帯電話を複数設置し、災害発生時に通話が集中したり、通信規制を受ける前に子局携帯電話と親局携帯電話間において緊急用の携帯電話回線を確保し、前記確保した回線により通信を行い、必要な情報を収集することが可能である。
【先行技術文献】
【特許文献】
【０００４】
【特許文献１】特開平９−２７８７０号公報
【発明の概要】
【発明が解決しようとする課題】
【０００５】
しかしながら、特許文献１に記載された技術では、災害発生と同時に複数電話回線を占有してしまうため、網側に掛かる負荷が大きく、また回線の使用効率が悪い。
【０００６】
本発明は上記事情に鑑みてなされたものであり、本発明の目的は、回線占有を必要最小限に留めた上で、災害発生時に網側に負荷を掛けることなく被災地と通信を行うことが可能な電話装置を提供することにある。
【課題を解決するための手段】
【０００７】
上記課題を解決するために、本発明は、１以上の外線および複数内線を収容する電話装置であって、災害発生の予測情報を受信するまたは災害発生を検知する災害発生予測検知手段と、前記災害発生予測検知手段が災害発生の予測情報を受信または災害発生を検知すると１以上の外線を捕捉し１以上の拠点に設置されている他電話装置へ発信する災害発生時発信手段と、前記発信に応答した他電話装置へ災害時における拠点間ネットワークの形成を要求する信号を送信する災害時ネットワーク形成要求手段と、前記捕捉した外線を保持する外線保持手段と、を有し、前記災害発生予測検知手段が災害発生の予測情報を受信または災害発生を検知した場合に、前記災害発生時発信手段は１以上の外線を捕捉し複数の拠点へ発信し、前記複数拠点のいずれかに設置されている他電話装置が応答したならば、前記災害時ネットワーク形成要求手段は前記応答した他電話装置へ、予め定めたルールに従って拠点間ネットワークの形成を要求する信号を送信し、前記回線保持手段は前記発信した外線を保持することを特徴とする。
【発明の効果】
【０００８】
本発明によれば、災害発生時に回線占有を必要最小限に留めた上で、網側に負荷を掛けることなく被災地と通信を行うことが可能な電話装置を提供出来る。
【図面の簡単な説明】
【０００９】
【図１】図１は、本発明の一実施の形態に係る全体構成および電話装置の機能ブロック構成図である。
【図２】図２は、電話装置の接続情報記憶部が記憶する災害時発信テーブルを模式的に表した図である。
【図３】図３は、電話装置の拠点間接続制御部が作成する拠点間接続情報テーブルを模式的に表した図である。
【図４】図４は、本発明の一実施の形態に係る電話装置の動作を表すフローチャート図である。
【図５】図５は、本発明の電話装置が、他拠点にある電話装置から拠点間ネットワークの形成を要求する信号を受信した場合の動作を表すフローチャート図である。
【図６】図６は、本発明の電話装置が、他拠点にある電話装置から拠点間接続情報テーブルを含む制御情報を受信した場合の動作を表すフローチャート図である。
【発明を実施するための形態】
【００１０】
以下、図を用いて本発明の実施形態について説明する。
【００１１】
図１は、本発明の一実施の形態に係る全体構成および電話装置１００の機能ブロック構成図である。
【００１２】
図１において、電話装置１００は、中央制御部１０１、通話路スイッチ１０２、外線回路１０３、内線回路１０４、災害発生予測／検知部１０５、拠点間接続制御部１０６、接続情報記憶部１０７、拠点間ネットワーク形成要求／制御情報送信部１０８、拠点間ネットワーク形成要求／制御情報受信部１０９とから構成される。
【００１３】
中央制御部１０１は、電話装置１００の制御全般を行う。
【００１４】
通話路スイッチ１０２は、外線と内線、外線相互、内線相互における通話路の形成と通話路接続情報を保持する。通話路スイッチ１０２は、中央制御部１０１の指示に応じて、外線回路１０３−１〜１０３−ｎおよび内線回路１０４−１〜１０４−ｎの接続、切替および切断を行う。
【００１５】
外線回路１０３は、公衆網２００から収容する外線の回線数に応じて複数存在する。なお、本実施例では、公衆網２００を電気通信事業者が提供する加入者回線として示すが、ＩＰ（Ｉｎｔｅｒｎｅｔ  Ｐｒｏｔｏｃｏｌ）回線等の通信事業者が提供する回線であってもよい。
【００１６】
内線回路１０４は、内線電話機３００を収容する内線の回線数に応じて複数存在する。なお、本実施例では、電話装置１００を構内交換機として、内線電話機３００を構内交換機に収容される内線電話機として説明するが、ＩＰ回線であって電話装置１００が呼制御サーバ、内線電話機３００がＩＰ電話機であってもよい。また、公衆網２００および内線電話機３００の接続は、有線による接続だけではなく、無線による接続であってもよい。
【００１７】
災害発生予測／検知部１０５は、災害発生の予測情報を受信または災害発生を検知する（以後、災害発生検知と呼称）。ここで災害発生の予測情報は外線回路１０３を経由し、公衆網２００から受信しても良く、また電話装置１００に接続された外部装置（図示せず）から受信してもよい。
【００１８】
拠点間接続制御部１０６は、電話装置１００が、１．被災拠点にある場合、２．被災拠点以外の拠点にあり拠点間ネットワークの形成を要求する信号（以後、拠点間ネットワーク要求信号と呼称）を受信した場合、３．被災拠点以外の拠点にあり拠点間接続情報テーブル５００を含む制御情報（以後、拠点間ネットワーク制御情報と呼称）を受信した場合により、それぞれ以下の制御を行う。
１．被災拠点にある場合：
電話装置１００が被災拠点に置かれており、電話装置１００の災害発生予測／検知部１０５が災害発生検知した場合には、災害時発信テーブル４００に従い１以上の外線を捕捉し１以上の他拠点にある電話装置に発信する。発信先拠点のいずれかが応答した場合、拠点間ネットワーク要求信号を送信する。
２．被災拠点以外の拠点にあり拠点間ネットワーク要求信号を受信した場合：
電話装置１００が被災拠点以外の拠点に置かれており、被災拠点からの着信に応答した後、拠点間ネットワーク要求信号を受信した場合、災害時発信テーブル４００に従い１以上の外線を捕捉し１以上の被災拠点以外の拠点にある電話装置に発信する。発信先の応答により、拠点間接続情報テーブル５００を作成して送信する。さらに、前記着信応答または発信した回線の切断／保持を制御し、他拠点との拠点間ネットワークを形成する。
３．被災拠点以外の拠点にあり拠点間ネットワーク制御情報を受信した場合：
電話装置１００が被災拠点以外の拠点に置かれており、他拠点からの着信に応答した後、拠点間ネットワーク制御情報を受信した場合には、拠点間ネットワーク制御情報に含まれる拠点間制御情報テーブル５００に従い１以上の外線を捕捉し１以上の被災拠点以外の拠点にある電話装置に発信する。発信先拠点の応答により、拠点間接続情報テーブル５００を更新して送信する。さらに、前記着信応答または発信した回線の切断／保持を制御し、他拠点との拠点間ネットワークを形成する。
【００１９】
接続情報記憶部１０７は、災害時発信テーブル４００を記憶する。
【００２０】
拠点間ネットワーク形成要求／制御情報送信部１０８は、拠点間接続制御部１０６からの指示により、拠点間ネットワーク要求信号または拠点間ネットワーク制御情報を、外線回路１０３を経由して他拠点へ送信する。
【００２１】
拠点間ネットワーク形成要求／制御情報受信部１０９は、他拠点からの拠点間ネットワーク要求信号または拠点間ネットワーク制御情報を受信する。
【００２２】
図２は、電話装置１００の接続情報記憶部１０７が記憶する災害時発信テーブル４００を模式的に表した図である。
【００２３】
災害時発信テーブル４００は、発信先拠点フィールド４００１、電話番号フィールド４００２、優先フィールド４００３とから構成される。発信先拠点フィールド４００１は、発信先拠点の名称を登録する。電話番号フィールド４００２は、発信先拠点の電話番号を登録する。優先フィールド４００３は、拠点間接続制御部１０６が発信する発信先拠点の優先順位を登録し、拠点間接続制御部１０６は優先順位の高い発信先拠点から発信する。
【００２４】
尚、災害時発信テーブル４００は、予めユーザによって生成されたテーブルであり、各拠点で災害時発信テーブル４００の内容が異なる。
【００２５】
ここで、レコード４００４を例にすれば、発信先拠点として“Ａ拠点”、電話番号は“１１１−１１１−１１１”が登録され、さらに優先順位として“優先１”が登録されていることを示す。
【００２６】
図３は、電話装置１００の拠点間接続制御部１０６が作成する拠点間接続情報テーブル５００を模式的に表した図である。
【００２７】
拠点間接続情報テーブル５００は、被災拠点フィールド５００１、被災拠点電話番号フィールド５００２、マスタ制御拠点フィールド５００３、マスタ制御拠点電話番号フィールド５００４、発信経路情報フィールド５００５より構成される。さらに、発信経路情報フィールド５００５はスレーブ拠点１〜ｎに対応するサブフィールド５００５−１〜５００５−ｎから構成される。
【００２８】
被災拠点フィールド５００１と被災拠点電話番号フィールド５００２には、被災拠点名称と被災拠点電話番号が設定される。マスタ制御拠点フィールド５００３とマスタ制御拠点電話番号フィールド５００４には、拠点間ネットワーク要求信号を受信した拠点名称と電話番号のマスタ制御情報が設定される。発信経路情報フィールド５００５におけるサブフィールド５００５−１〜５００５−ｎには、発信経路としてスレーブ拠点の電話番号が設定される。なお、ここで、発信経路とは、マスタ制御拠点から順に各拠点が発信していって数珠つなぎに形成される通話経路を意味し、サブフィールド５００５−１→サブフィールド５００５−２→・・・サブフィールド５００５−ｎの順に発信する。
【００２９】
ここで、レコード５００６を例にすれば、レコード５００６は、被災拠点として“Ａ拠点”、被災拠点の電話番号として“１１１−１１１−１１１”が設定され、マスタ制御拠点、マスタ制御拠点電話番号として、それぞれ“Ｂ拠点”、“２２２−２２２−２２２”を設定したことを示す。さらに、発信経路情報のスレーブ拠点として、“Ｄ拠点（３３３−３３３−３３）”→“Ｅ拠点（４４４−４４４−４４４）”→・・・“ｎ拠点（ｎｎｎ−ｎｎｎ−ｎｎｎ）”の経路を辿ることを示す。
【００３０】
拠点間接続情報テーブル５００は、被災拠点から拠点間ネットワーク要求信号を受信した電話装置１００によって生成される。
【００３１】
具体的には、電話装置１００は、被災拠点から拠点間ネットワーク要求信号を受信すると、拠点間ネットワーク要求信号を受信する前に検知した着信に含まれる発信者情報（または通話中回線情報）を参照して、発信者情報に含まれる発信元の電話番号を取得し、被災拠点電話番号フィールド５００２に設定する。そして、電話装置１００は、災害時発信テーブル４００から被災拠点電話番号フィールド５００２に設定した被災拠点電話番号と一致する発信先拠点を参照し、検知した発信先拠点を被災拠点フィールド５００１に設定する。
【００３２】
次に、電話装置１００は、自拠点の名称と電話番号をそれぞれマスタ制御拠点フィールド５００３、マスタ制御拠点電話番号フィールド５００４に設定する（即ち、自拠点をマスタ制御拠点とする）。
【００３３】
さらに、電話装置１００は、自装置に設定されている発信経路情報から被災拠点フィールド５００１に設定した被災拠点を除く発信先拠点と当該発信先拠点の電話番号を優先フィールド４００３の番号順に抽出してスレーブ拠点の各レコードに設定する。
【００３４】
尚、本実施例では発信経路情報のスレーブ拠点は、災害時発信テーブル４００の優先順位に基づいた発信先拠点をスレーブ拠点として設定しているが、図示しない自拠点から近い拠点をスレーブ拠点として予め登録しておいてもよい。
【００３５】
電話装置１００が拠点間ネットワーク接続情報を受信した場合には、被災拠点フィールド５００１、被災拠点電話番号フィールド５００２、マスタ制御拠点フィールド５００３、マスタ制御拠点電話番号フィールド５００４の内容について変更はしない。発信経路情報フィールド５００５については、自拠点が設定されたサブフィールドを除外し、それ以降のサブフィールドを自拠点が設定されたサブフィールドから上書きして、発信経路情報フィールド５００５を更新する。
【００３６】
例えば、自拠点がサブフィールド５００５−１に設定されていたならば、サブフィールド５００５−１の内容を削除し、サブフィールド５００５−２以降の内容をサブフィールド５００５−１に順次上書きする。
【００３７】
なお、拠点間接続情報テーブル５００における被災拠点フィールド５００１、被災拠点電話番号フィールド５００２、マスタ制御拠点フィールド５００３、マスタ制御拠点電話番号フィールド５００４、発信経路情報フィールド５００５は、複数設定してもよい。
【００３８】
図４は電話装置１００の動作に係る動作フローチャートであり、図２、図３を併用して説明する。本フローは電話装置１００の電源が投入された状態からスタートする。
【００３９】
電話装置１００が、災害発生の予測情報を受信した場合（Ｓ１００、ＹＥＳ）、電話装置１００は、災害時発信テーブル４００の優先フィールド４００３を参照して、優先順位の最も高いレコードから発信先拠点フィールド４００１と電話番号フィールド４００２の発信先拠点と電話番号を順次取得して空いている外線に割り当てる（Ｓ１０１）。
【００４０】
続いて、電話装置１００は、発信先拠点と電話番号が割り当てられた空き外線を捕捉し（Ｓ１０２）、一斉呼出タイマをスタートして（Ｓ１０３）、Ｓ１０１で取得した発信先拠点フィールド４００１、電話番号フィールド４００２の拠点へ一斉発信を行う（Ｓ１０４）。尚、Ｓ１０１で空き外線なしの場合は空き外線の監視を継続する。なお、予測情報を受信した際に通話中の外線をすべて強制切断するようにしてもよい。
【００４１】
電話装置１００が、災害発生の予測情報を受信しなかった場合（Ｓ１００、ＮＯ）、電話装置１００は、災害発生の検知を監視する（Ｓ１２０）。電話装置１００が災害発生を検知した場合（Ｓ１２０、ＹＥＳ）、Ｓ１０１〜Ｓ１０４の処理を実施する。
【００４２】
Ｓ１０４の後、電話装置１００は、発信先の応答を監視する（Ｓ１０５）。
【００４３】
発信先の応答を検知すると（Ｓ１０５、ＹＥＳ）、電話装置１００は、通話を確立するとともにＳ１０３でスタートした一斉呼出タイマを停止する（Ｓ１０６）。さらに、電話装置１００は、応答した発信先以外の発信中の外線を切断する（Ｓ１０７）。そして、電話装置１００は、拠点間ネットワーク要求信号を応答した発信先に送信し（Ｓ１０８）、発信先が応答した外線を保持し（Ｓ１０９）、処理を終了する。
【００４４】
発信先の応答を検知しない場合（Ｓ１０５、ＮＯ）、電話装置１００は、Ｓ１０３によりスタートした一斉呼び出しタイマの満了を監視する（Ｓ１１０）。一斉タイマが未満了の場合（Ｓ１１０、ＮＯ）、電話装置１００は、Ｓ１０５の監視を継続する。
【００４５】
一斉タイマが満了した場合（Ｓ１１０、ＹＥＳ）、電話装置１００は、Ｓ１０２で捕捉した外線を切断し（Ｓ１１１）、災害時発信テーブル４００の優先フィールド４００３を参照してＳ１０１で割り当てた次に優先順位が高いレコードから発信先拠点フィールド４００１と電話番号フィールド４００２の発信先拠点と電話番号を順次取得して空いている外線に割り当て（Ｓ１１２）、再度Ｓ１０２以降の処理を実施する。
【００４６】
災害発生を検知しなかった場合（Ｓ１２０、ＮＯ）、電話装置１００は着信の有無を監視する（Ｓ１２１）。着信がなかった場合（Ｓ１２１、ＮＯ）は、Ｓ１００以降の処理を継続する。着信があった場合（Ｓ１２１、ＹＥＳ）は、電話装置１００は自装置を鳴動し、通話を確立する（Ｓ１２２）。なお、ここで通話の確立は電話装置１００が自動で応答し通話を確立してもよいし、電話装置１００を利用するユーザの応答により通話を確立してもよい。通話を確立すると電話装置１００は、拠点間ネットワーク要求信号の受信有無を監視する（Ｓ１３０）。拠点間ネットワーク要求信号を受信した場合（Ｓ１３０、ＹＥＳ）、電話装置１００は後述する拠点間ネットワーク要求信号の受信処理（Ｓ２００）を実施する。拠点間ネットワーク要求信号の受信しなかった場合（Ｓ１３０、ＮＯ）、電話装置１００は拠点間ネットワーク制御情報の受信有無を監視する（Ｓ１４０）。
【００４７】
拠点間ネットワーク制御情報を受信した場合（Ｓ１４０、ＹＥＳ）、電話装置１００は、後述する拠点間ネットワーク制御情報の受信処理（Ｓ３００）を実施する。拠点間ネットワーク制御情報を受信しなかった場合（Ｓ１４０、ＮＯ）、Ｓ１００以降の処理を再度実施する。
【００４８】
図５は、本発明の電話装置１００が、他拠点にある電話装置から拠点間ネットワーク要求信号を受信した場合の動作を表すフローチャート図である。本フローは、電話装置１００が拠点間ネットワーク要求信号を受信した状態（Ｓ１３０のＹＥＳ）から開始する。
【００４９】
電話装置１００は、拠点間ネットワーク要求信号を受信した外線の通話を保持する（Ｓ２０１）。
【００５０】
Ｓ２０１の後、電話装置１００は、災害時発信テーブル４００の優先フィールド４００３を参照して優先順位の最も高いレコードを特定する。特定の後、発信先拠点フィールド４００１と電話番号フィールド４００２の発信先拠点と電話番号を取得する（Ｓ２０２）。
【００５１】
ここで、Ｓ２０２において、拠点間ネットワーク要求信号を送信した拠点が、災害時発信テーブル４００に登録されている場合は、取得対象に含めない。
【００５２】
続いて、電話装置１００は、捕捉可能な外線の空き有無を監視する（Ｓ２０３）。なお、捕捉可能な外線の空き有無を監視せずに通話中の外線のうち、Ｓ１２２で確立した外線以外の外線のいずれかを強制切断するようにしてもよい。空き外線ありならば（Ｓ２０３、ＹＥＳ）、電話装置１００は、外線を捕捉し（Ｓ２０４）、発信の呼出タイマをスタートして（Ｓ２０５）、発信先拠点へ発信を行う（Ｓ２０６）。空き外線なしの場合（Ｓ２０３、ＮＯ）、電話装置１００は、Ｓ２０３の監視を継続する。
【００５３】
Ｓ２０６の後、電話装置１００は、発信先の応答を監視する（Ｓ２０７）。発信先が応答した場合（Ｓ２０７、ＹＥＳ）、電話装置１００は、当該通話先と通話を確立しＳ２０５でスタートした呼出タイマを停止する（Ｓ２０８）。
【００５４】
さらに、電話装置１００は、拠点間ネットワーク接続情報を作成し（Ｓ２０９）、作成した拠点間ネットワーク接続情報を、通話確立中の通話先へ送信する（Ｓ２１０）。その後、外線の通話を保持したまま（Ｓ２１１）、処理終了する。
【００５５】
尚、Ｓ２０９の拠点間ネットワーク接続情報の作成方法は図３で説明した通りである。
【００５６】
発信先が応答しなかった場合（Ｓ２０７、ＮＯ）、電話装置１００は、Ｓ２０５でスタートしたタイマの満了を監視する（Ｓ２２０）。監視の結果、呼出タイマが満了した場合（Ｓ２２０、ＹＥＳ）、災害時発信テーブルより次の発信先を取得し（Ｓ２２１）、再度Ｓ２０３を実施する。呼出タイマが未満了の場合（Ｓ２２０、ＮＯ）、Ｓ２０７の監視を継続する。
【００５７】
ここで、Ｓ２２１は、Ｓ２０２により取得したレコード以外で、優先順位の最も高いレコードにある発信先拠点フィールド４００１と電話番号フィールド４００２を取得する。
【００５８】
図６は、本発明の電話装置１００が、他拠点の電話装置が生成した拠点間ネットワーク接続情報を受信した場合の動作を表すフローチャート図である。本フローは、電話装置１００が拠点間ネットワーク制御情報を受信した状態（Ｓ１４０、ＹＥＳ）から開始する。
【００５９】
電話装置１００は、拠点間ネットワーク制御情報を受信した外線の通話を保持する（Ｓ３０１）。
【００６０】
Ｓ３０１の後、電話装置１００は、拠点間接続情報テーブル５００のサブフィールド５００５―２（スレーブ拠点２）を参照して発信先拠点と電話番号を取得する（Ｓ３０２）。ここで、拠点間接続情報テーブル５００のサブフィールドに自拠点のみが設定されている場合、次発信先なしと判断し（Ｓ３０３、ＹＥＳ）、Ｓ３１３〜Ｓ３１４を実施する。
【００６１】
次発信先ありと判断した場合（Ｓ３０３、ＮＯ）、電話装置１００は捕捉可能な外線の空き有無を監視する（Ｓ３０４）。なお、捕捉可能な外線の空き有無を監視せずにＳ１２２で確立した外線以外の外線のいずれかを強制切断するようにしてもよい。
【００６２】
空き外線ありならば（Ｓ３０４、ＹＥＳ）、電話装置１００は、外線を捕捉し（Ｓ３０５）、発信の呼出タイマをスタートして（Ｓ３０６）、発信先拠点へ発信を行う（Ｓ３０７）。空き外線なしの場合（Ｓ３０４、ＮＯ）、電話装置１００は、Ｓ３０４の監視を継続する。
【００６３】
Ｓ３０７の後、電話装置１００は、発信先の応答を監視する（Ｓ３０８）。発信先が応答した場合（Ｓ３０８、ＹＥＳ）、電話装置１００は、Ｓ３０６でスタートした呼出タイマを停止する（Ｓ３０９）。
【００６４】
続いて、電話装置１００は、拠点間ネットワーク接続情報を更新し（Ｓ３１０）、拠点間ネットワーク接続情報を送信する（Ｓ３１１）。その後、電話装置１００は送信した外線を保持する（Ｓ３１２）。尚、Ｓ３１０の拠点間ネットワーク接続情報の更新方法は図３で説明した通りである。
【００６５】
発信先が応答しなかった場合（Ｓ３０８、ＮＯ）、電話装置１００はＳ３０６でスタートしたタイマの満了を監視する（Ｓ３２０）。監視の結果、呼出タイマが満了した場合（Ｓ３２０、ＹＥＳ）、電話装置１００は拠点間接続情報テーブル５００のサブフィールド５００５−３（スレーブ拠点３）を参照して発信先を取得し（Ｓ３２１）、再度Ｓ３０４を実施する。なお、Ｓ３２１において、拠点間接続情報テーブル５００のサブフィールドに次発信先がなかった場合、再度サブフィールドの先頭（本実施例ではサブフィールド５００５−２）に戻り次発信先を取得する。呼出タイマが未満了の場合（Ｓ３２０のＮＯ）、Ｓ３０８の監視を継続する。
【００６６】
Ｓ３１２の後、電話装置１００は、被災拠点と自拠点（自装置）が接続されているか監視する（Ｓ３１３）。監視の結果、接続されている場合（Ｓ３１３、ＹＥＳ）、電話装置１００は接続外線を切断する（Ｓ３１４）。接続されていない場合（Ｓ３１３、ＮＯ）、処理を終了する。
【００６７】
以上、本発明の一実施の形態について説明した。
【００６８】
本実施の形態において、電話装置１００の災害発生予測／検知部１０５が、災害発生の予測情報を受信または災害発生を検知すると、拠点間接続制御部１０６は、接続情報記憶部１０７に記憶された災害時発信テーブル４００に登録された拠点先へ発信する。発信先の応答により、拠点間ネットワーク要求信号を送信し、前記発信の外線を保持し、またさらに、電話装置１００の拠点間接続制御部１０６が、拠点間ネットワーク要求信号または拠点間ネットワーク制御情報を受信した場合、接続情報記憶部１０７に記憶された災害時発信テーブル４００または拠点間ネットワーク制御情報に含まれる拠点間接続情報テーブル５００に設定された他拠点へ発信する。他拠点の応答により、拠点間接続情報テーブル５００を新規作成または更新して、応答した拠点へ送信し、送信した外線を保持する。さらに、被災拠点と自拠点が接続されていた場合には、外線を切断する。従って、災害発生時に、緊急用の通信回線を予め確保することが出来、かつ回線占有を必要最小限に留めた上で、網側に負荷を掛けることなく被災地と通信を行うことが可能である。
【００６９】
なお、上記の実施形態では、１以上の外線および複数内線を収容する電話装置として説明したが、本発明はこれに限定されない。
【００７０】
例えば、表示器、ダイヤルキーを具備した単体の電話装置であってもよく、またユーザが自由に持ち運ぶことが出来る携帯電話を含む通信端末であってもよい。さらに、外部機器とデータ通信を実施するパソコンやサーバ装置であってもよい。
【００７１】
また、上記の実施形態では、災害発生の予測情報の受信または災害検知した場合について説明したが、本発明はこれに限定されない。
【００７２】
例えば、電話装置１００を操作するユーザが予め定められた操作を実施した場合、または予め設定されたタイマ値が満了した場合でもよい。
【符号の説明】
【００７３】
１００・・・本発明に係る実施形態の電話装置
１０１・・・中央制御部
１０２・・・通話路スイッチ
１０３・・・外線回路
１０４・・・内線回路
１０５・・・災害発生予測／検知部
１０６・・・拠点間接続制御部
１０７・・・接続情報記憶部
１０８・・・拠点間ネットワーク形成要求／制御情報送信部
１０９・・・拠点間ネットワーク形成要求／制御情報受信部
２００・・・公衆網
３００・・・内線電話機
【図１】
2015136070.tif 000003
【図２】
2015136070.tif 000004
【図３】
2015136070.tif 000005
【図４】
2015136070.tif 000006
【図５】
2015136070.tif 000007
【図６】
2015136070.tif 000008